(57)【特許請求の範囲】
【請求項１】
熱源となる熱交換器と、この熱交換器を介して温風を浴室内に循環送風する循環ファンを駆動する循環ファンモーターと、浴室内の湿気を含む空気を換気する換気ファンを駆動する換気ファンモーターと、運転動作を制御する電装部等の設けられる衣類乾燥機の本体を形成する枠状で吸込口および温風吹出口となる本体開口面を有した本体フレームと、前記循環ファンの循環側のケーシング隔壁と、前記熱交換器と電装部間に設けられる第１の電装部隔壁と、前記換気ファンの換気側のケーシング隔壁と、前記電装部と排気口に連通する換気用の風路とを分離する第２の電装部隔壁とを備え、前記各隔壁および、本体フレームを樹脂で一体成形し、前記循環ファンの周囲および前記熱交換器の取付部は、前記循環側のケーシング隔壁と前記第１の電装部隔壁とにより前記本体開口面を除き閉空間となるとともに、前記換気ファンの周囲は、前記換気側のケーシング隔壁と前記第２の電装部隔壁とにより前記本体開口面および前記排気口を除き閉空間となり、さらに、前記電装部は前記本体フレームと前記第１の電装部隔壁と前記第２の電装部隔壁とにより閉空間を形成する構成とした浴室用衣類乾燥機。
【請求項２】
本体フレームの吸込側となる本体開口面より、循環ファンモーターおよび換気ファンモーターを取付ける取付リングを取付手段を介して前記本体フレームに設けた請求項１記載の浴室用衣類乾燥機。
【請求項３】
換気ファンの吸込口と他室とを連通可能に設けた換気用のダクトと、前記換気ファンの本体開口面の吸込側に吸込面積を可変できる遮蔽板を設けた請求項１記載の浴室用衣類乾燥機。
【請求項４】
ケーシング隔壁の一部に本体フレームの深さ方向に設けられるコード収納用の垂直溝部と、この垂直溝部とファンモーターの取付面に連設するように設けられるコード収納用の水平溝部と、前記垂直溝部および水平溝部を覆うコード押さえ具とを備え、前記水平溝部と垂直溝部に前記ファンモーターに接続されるコードを収納し、前記コード押さえ具を係止手段により係止する構成とした請求項１または２記載の浴室用衣類乾燥機。
【請求項５】
排気口の上部側寄りの水平位置に内方に向かい対向するように設けた支持軸と、この支持軸の軸方向に弾性力により可動自在に設けられるキャップ部と鍔部が一体的に設けられた鍔付キャップと、前記キャップ部が支持され、鍔部が側部に当接する一対の軸受部を有し、前記排気口を開閉する形状の可動板とを備え、前記可動板の一対の軸受部を鍔付キャップを介し可動自在に弾性挟持する構成とした請求項１記載の浴室用衣類乾燥機。
【請求項６】
本体フレームに反本体開口面側に向かい設けられるインサートボルトと、このインサートボルトのインサートボルト固定用孔と天井裏に設けられる第１の吊ボルトに取付けられる吊ボルト用長孔とを有した吊金具と、前記本体フレームの下部外方に突出し設けられるフランジ部と、このフランジ部の四隅に設けられた第２の吊ボルトの吊ボルト用孔と、この吊ボルト用孔に着脱自在に設けられるキャップとを備え、本体先付時には前記インサートボルトに取付けた吊金具を第１の吊ボルトに取付け、本体後付時には、天井裏に吊金具を介して第２の吊ボルトを吊り下げ、前記吊ボルト用孔を介して前記本体フレームを吊り下げる構成とした請求項１記載の浴室用衣類乾燥機。
【請求項７】
本体フレームの本体開口面側の隅部に設けられる化粧パネルの取付用ねじ孔と、化粧パネルの四隅に本体フレーム側に突出し設けられる切り欠き部を有するねじ受け部と、前記切り欠き部と反対側に設けられるリブ部とを備え、前記取付用ねじ孔に途中まで螺合したねじが前記切り欠き部よりねじ受け部に導かれるように化粧パネルをスライドさせて、前記ねじの頭部を前記リブに係合して化粧パネルを保持する構成とした請求項１記載の浴室用衣類乾燥機。
【発明の詳細な説明】
【０００１】
【発明の属する技術分野】
本発明は、浴室用衣類乾燥機に関するものである。
【０００２】
【従来の技術】
近年、夫婦共働きの増加により夜間等を利用して洗濯物を室内にて乾かしたいとの要望により、浴室を洗濯物の乾燥の場として利用する浴室用衣類乾燥機の需要が増大してきた。さらにユニットバスの台頭により設置スペースの確保が求められる一方、据え付け時の施工時間の短縮、メンテナンス時の作業性の向上、さらには低コスト化の要求が高まっている。
【０００３】
従来、この種の浴室用衣類乾燥機は図８に示すような構成が一般的であった。以下、その構成について図８を参照しながら説明する。
【０００４】
図に示すように、本体フレーム１００の内側に設けた仕切板１０１にモーター固定金具１０２を介し循環用ファンモーター１０３が固定され、この循環用ファンモーター１０３と循環用ファン１０４および循環用ケーシング１０５からなる循環用送風機１０６を有している。また、熱交換器１０７および本体フレーム１００の外側には、換気チャンバー１０８に固定されている換気用ファンモーター１０９と換気用ファン１１０および換気用ケーシング１１１からなる換気用送風機１１２を有し、循環用送風機１０６と換気用送風機１１２との運転と熱交換器１０７の加熱能力を制御する電装部１１３が設けられていた。前記ファンモーターより電装部１１３にわたるファンモーターコードはコード押さえ具によってファンモーターの一部に固定されていた。さらに前記換気チャンバー１０８先端には逆流防止用の可動板が設けられていた。一方、本体フランジ四隅には吊りボルト用孔が設けられていた。
【０００５】
また、浴室用衣類乾燥機の多室換気は、特開平７−３２４８６０号公報に記載されたものが知られている。
【０００６】
以下、その浴室用衣類乾燥機の多室換気について、図９を参照しながら説明する。
【０００７】
図に示すように、浴室乾燥機の本体フレーム１１４には室外側吹出口１１５を設けて、この室外側吹出口１１５にダクトジョイント１１６を取り付けて、外気と連通した排気ダクト１１７と接続していた。そして、ダクトジョイント１１６を追加することにより、浴室用衣類乾燥機を取り付けた浴室以外の洗面所、トイレ等からの排気ダクト１１７を接続することを可能としていた。
【０００８】
また、浴室用衣類乾燥機の化粧パネル取付装置について、図１０を参照しながら説明する。
【０００９】
図に示すように、化粧パネル１１８の落下防止のため、化粧パネル１１８の中央部にＬ字の引掛部１１９を設け製品本体側にはこれに対応する受け部１２０を設けねじにて化粧パネル１１８を製品本体に取付ける構成としている。
【００１０】
【発明が解決しようとする課題】
このような従来の浴室用衣類乾燥機では、循環用ケーシング１０５と換気用ケーシング１１１がそれぞれ独立しており、さらに仕切板１０１にモーター固定金具１０２を固定し、このモーター固定金具１０２にさらに循環用ファンモーター１０３を固定するので、部品要素間の組立精度により風路構成にばらつきが生じ、さらに部品点数が多くなることにより重量が多くなることがあり、重量軽減、および製品による機能性のばらつきの削減をすることが要求されている。
【００１１】
また、循環用ファンモーター１０３および換気用ファンモーター１０９共に重量物であり、本体フレーム１１４の軽量化を図り樹脂化した場合この重量物であるファンモーターを確実に支えられる強度を持ち、メンテナンス時間が短縮できるよう安易にファンモーターを交換できることが要求されている。
【００１２】
また、従来の浴室用衣類乾燥機における多室換気では、各吸込口からの吸込風量の適量化が難しく、また本体外形寸法が天井面方向に大きくなるおそれがあり、多室における換気吸込量の調節、および天井面方向に大きくならないダクト施工が要求されている。
【００１３】
また、ファンモーターのコードは従来、ケーシングの外に位置し、コード引き回しの体積容量を必要としており、コード引き回しによる製品本体の大型化の抑制、およびメンテナンス時間が短縮できるよう安易なファンモーターコードの引き回しが要求されている。
【００１４】
また、浴室用衣類乾燥機は外気の湿った空気の流入を防ぐため換気側の風路に逆流防止用の可動板を設けるが、前記可動板が可動する際にこすれ音が発生することがあり、また可動部がダクトの曲部にあたり可動しなくなることがあり、こすれ音の低減、およびダクト引き回しによる可動部不動作の削減が要求されている。
【００１５】
また、本体フランジには四隅に孔が設けられているため、浴室またはユニットバスが設置された後本体フレーム１１４を設置する方式の施工を行うことが可能であるが、本体フレーム１１４を先に天井に仮設置した後に浴室天井を作るまたはユニットバスを設置する方式の施工も要求されている。
【００１６】
また、前記本体フレームを先に天井に仮設置した後に浴室天井を作るまたはユニットバスを設置する方式の施工の際には化粧パネルと製品本体の間に天井厚さが加わるため、製品本体と化粧パネルの間隔に変動があった場合でも取り付け可能であることが要求されている。
【００１７】
本発明は上記課題を解決するもので、本体重量削減による据え付け時の施工時間の短縮、および本体組立工程における風路構成のばらつき削減による能力・騒音等の性能確保のできる浴室用衣類乾燥機を提供することを第１の目的としている。
【００１８】
また、第２の目的は、樹脂成形品へのファンモーター取付強度の確保、およびモーター取り外し作業の容易化を図ることにある。
【００１９】
また、第３の目的は、吸込口を二方向に設けることにより多室の換気を行い、各々の吸込口からの吸込風量の調節を行うことにある。
【００２０】
また、第４の目的は、ファンモーターのコードをファンに当てないように設けられたコード押さえ具の取り付け・取り外し作業の容易化、および本体の小型化を図ることにある。
【００２１】
また、第５の目的は可動板の可動により発生する音の低減を図ることにある。また、第６の目的はあらゆる設置条件への対応、および本体据え付け作業時間の短縮を図ることにある。
【００２２】
また、第７の目的は製品本体と化粧パネルの間隔の規制がなく、落下防止機能を有する化粧パネルの取付装置を提供することにある。
【００２３】
【課題を解決するための手段】
本発明の浴室用衣類乾燥機は上記第１の目的を達成するために熱源となる熱交換器と、この熱交換器を介して温風を浴室内に循環送風する循環ファンを駆動する循環ファンモーターと、浴室内の湿気を含む空気を換気する換気ファンを駆動する換気ファンモーターと、運転、動作を制御する電装部等の設けられる衣類乾燥機の本体を形成する枠状で吸込口および温風吹出口となる本体開口面を有した本体フレームと、前記循環ファンの循環側のケーシング隔壁と、前記熱交換器と電装部間に設けられる第１の電装部隔壁と、前記換気ファンの換気側のケーシング隔壁と、前記電装部と排気口に連通する換気用の風路とを分離する第２の電装部隔壁とを備え、前記各隔壁および本体フレームを樹脂で一体成形したものである。
【００２４】
本発明によれば、本体重量削減による据え付け時の施工時間の短縮および、本体組立工程における風路構成のばらつきの削減による能力、騒音等の性能確保ができる浴室用衣類乾燥機が得られる。
【００２５】
【発明の実施の形態】
本発明の請求項１に記載の浴室用衣類乾燥機は、熱源となる熱交換器と、この熱交換器を介して温風を浴室内に循環送風する循環ファンを駆動する循環ファンモーターと、浴室内の湿気を含む空気を換気する換気ファンを駆動する換気ファンモーターと、運転、動作を制御する電装部等の設けられる衣類乾燥機の本体を形成する枠状で吸込口および、温風吹出口となる本体開口面を有した本体フレームと、前記循環ファンの循環側のケーシング隔壁と、前記熱交換器と電装部間に設けられる第１の電装部隔壁と、前記換気ファンの換気側のケーシング隔壁と、前記電装部と排気口に連通する換気用の風路とを分離する第２の電装部隔壁とを備え、前記各隔壁および本体フレームを樹脂で一体成形し、前記循環ファンの周囲および前記熱交換器の取付部は、前記循環側のケーシング隔壁と前記第１の電装部隔壁とにより前記本体開口面を除き閉空間となるとともに、前記換気ファンの周囲は、前記換気側のケーシング隔壁と前記第２の電装部隔壁とにより前記本体開口面および前記排気口を除き閉空間となり、さらに、前記電装部は前記本体フレームと前記第１の電装部隔壁と前記第２の電装部隔壁とにより閉空間を形成する構成としたものであり、循環ファンにより構成される循環用の風路と換気用の風路は部品取付けなどの要因によるばらつきを生じることなく、常に一定した風路を構成できるという作用を有する。
以下、本発明の実施例について図面を参照しながら説明する。
【００２６】
【実施例】
（実施例１）
図１に示すように、浴室用衣類乾燥機の本体を形成する本体フレーム１は浴室内へ温風を送出する循環ファン２を駆動する循環ファンモーター３と、熱源である熱交換器４と、循環ファン２とは独立した換気ファン５を駆動する換気ファンモーター６と、浴室用衣類乾燥機の動作制御を行う電装部７により構成されている。そして、循環ファンモーター３の軸の先端は枠状の本体フレーム１の吸込口および、温風吹出口となる本体開口面に向かって本体開口面に垂直な方向となるように位置し、循環ファン２は循環ファンモーター３の軸に取り付く。また、循環ファン２の周囲および熱交換器４取付部は循環ファン２の渦巻ケーシングを形成する循環側のケーシング隔壁８と熱交換器４取付部と電装部７の間に位置する第１の電装部隔壁９とにより本体開口面を除き閉空間となるように構成されている。
【００２７】
また、循環ファン２が駆動することにより本体開口面より気体を吸い込み熱交換器４を通して本体開口面に吹き出す風路が構成される。一方換気ファンモーター６の軸の先端は本体開口面に向かって本体開口面に垂直な方向となるように位置し、換気ファン５は換気ファンモーター６の軸に取り付く。そして、換気ファン５の周囲は換気ファン５の渦巻ケーシングを形成する換気側のケーシング隔壁１０と電装部７と換気用の風路を分離する第２の電装部隔壁１２により本体開口面および排気口１１を除き閉空間となるように構成されており、換気ファン５が駆動することにより本体開口面より気体を吸い込み排気口１１に吹き出す風路と循環ファン２により構成される循環用の風路とは独立した風路が形成される。また電装部７は本体フレーム１と、第１の電装部隔壁９と、第２の電装部隔壁１２により閉空間を形成する構成となる。これは浴室衣類乾燥機の風路は比較的湿度が高くなるため電子部品を有する電装部７は独立させる必要があるからである。
【００２８】
上記構成における本体フレーム１、循環側のケーシング隔壁８、第１の電装部隔壁９、換気側のケーシング隔壁１０、排気口１１を樹脂一体成形とする。そのため、循環ファン２により構成される循環用の風路と、換気ファン５により構成される換気用の風路は部品取付などの要因によるばらつきを生じることなく、常に一定した風路を構成することとなる。
【００２９】
（実施例２）
図２に示すように、循環ファンモーター３、換気ファンモーター６の軸の先端は本体開口面に向かって本体開口面に垂直な方向となるように位置し、本体フレーム１の底面には二つのファンモーター取付孔１３を備え、循環ファンモーター３、換気ファンモーター６は二つのファンモーター取付孔１３にファンモーターの底面を嵌合させる構成となる。そして、二つのファンモーター取付孔１３の本体開口面と反対方向の面にはリング形溝部１４が設けられ、リング形溝部１４の外周には本体開口面と反対方向に突出し、リング中心方向に向けてＬ字を形成するような取付リング引掛部１５と、リング形溝部１４には本体開口面と反対方向に突出した廻り止め１６とを備え、前記取付リング引掛部１５はリング形溝部１４外周方向に弾性を有している。一方、リング形溝部１４には廻り止め１６が挿入可能な廻り止め孔およびリング形溝部１４に挿入できるモーターの取付リング１７を嵌合する構成としたものである。モーターの取付リング１７にはモーターをねじ止めする孔が設けられており、ファンモーター取付孔１３および取付リング１７中心孔より循環ファンモーター３、換気ファンモーター６の底面を通し、本体開口部側より循環ファンモーター３、換気ファンモーター６の鍔部１８を本体フレーム１を介し取付リング１７にねじ止めする構成とし、リング形溝部１４、取付リング引掛部１５、廻り止め１６により取付リング１７の取付手段を形成する。
【００３０】
上記構成により、循環ファンモーター３、換気ファンモーター６の取り外しは本体開口面からねじを外すだけで本体開口面より取り外すことができ、取付は循環ファンモーター３、換気ファンモーター６の取り外し作業の逆の順序で行えるため、循環ファンモーター３、換気ファンモーター６の取付・取り外し作業が本体開口面から行えることとなる。
【００３１】
（実施例３）
図３に示すように、本体フレーム１の換気ファン５側且つ換気ファン５の本体開口面側に連通する貫通孔２０を設け、さらに貫通孔２０より本体フレーム１外側に突出した筒形状のダクト２１を設ける。そして、換気ファン５が駆動すると本体開口面側のみならずダクト２１を通して本体フレーム１の貫通孔２０より換気ファン５へ気体を導くこととなる。すなわちダクト２１と本体開口面の二方向より気体を吸い込むことができることとなる。また一方本体開口面における換気側ケーシング隔壁１０により構成される換気ファン吸込口２２には吸込口の一部を遮蔽板２３を設けることにより覆う構成、すなわち本体開口部側の換気ファン吸込口２２の面積を縮小する構成となる。そして、遮蔽板２３の取付位置はダクト２１側気体吸込量と本体開口側の換気ファン吸込口２２の気体吸込量の比率を調節できるように可動できるもので、換気ファン吸込口２２を遮蔽板２３により覆う面積を拡大すればダクト２１側から流入する気体の流量が増え、また換気ファン吸込口２２を遮蔽板２３により覆う面積を縮小すれば換気ファン吸込口２２から流入する気体の流量が増えることとなる。
【００３２】
なお、前記遮蔽板２３を固定する際に長孔を用いれば自由に二方向からの気体の吸込量比率を調節できることはいうまでもない。
【００３３】
（実施例４）
図４に示すように、本体フレーム１内に循環ファン２の渦巻ケーシングを形成する循環側のケーシング隔壁８を形成し、循環側のケーシング隔壁８の一部を本体フレーム１の深さ方向に向けて切り欠いた垂直溝部３０と本体フレーム１の循環ファンモーター取付面に垂直溝部３０の延長上にあたる位置に設けられた水平溝部３１を有し、水平溝部３１の一部に溝部の両端面より水平溝部３１中心方向に突出したコード押さえ止め部３２を設けた構成とする。一方、前記垂直溝部３０に嵌合すべくコの字形の垂直部３６と、本体フレーム１の水平溝部３１に嵌合すべくコード押さえ止め部３２の厚み分左右部分３３が低く且つ突起分の幅の左右部分３３を設けた第１水平部３４により構成されるＬ字形部３５とコの字形の垂直部３６に第１水平部３４と対局する位置で第１水平部３４と反対方向に突出する第２水平部３７により構成されるコード押さえ具３８を備え、前記本体フレーム１に設けられた垂直溝部３０と水平溝部３１に循環ファンモーター３のコードを通し、コード止め具の第１水平部３４の左右部分３３をコード押さえ止め部３２と本体フレーム１の間に挿入しスライドさせることにより、コード押さえ具３８と本体フレーム１の垂直溝部３０と水平溝部３１とに嵌合する構成となる。
【００３４】
上記構成によりケーシングの一部を形成し、スライドすることによりコード押さえ具３８を取り外すことができることとなる。
【００３５】
（実施例５）
図５に示すように、本体フレーム１に設けられる排気口１１の形状を上部側１１ａの幅が狭く、上端部が円弧状に形成され、下部側１１ｂの幅が上部側１１ａより広く下端部が円弧状に形成され、排気口１１の上部側１１ａの水平位置に内方に向かい対向するように支持軸４０を設け、この支持軸４０の軸端に軸方向に弾性力により可動自在なキャップ部４１ａと鍔部４１ｂが一体的に設けられた鍔付キャップ４１を設ける。
【００３６】
一方、排気口１１を開閉する可動板４２は、上方部側４２ａは排気口１１の上部側１１ａより狭く、上端部を円弧状に形成し、下方部側４２ｂは排気口１１の下部側１１ｂより広く、下端部を円弧状に形成し、キヤップ部４１ａに支持され、鍔部４１ｂが側部に当接する一対の軸受部４３を形成する。
【００３７】
そして、一対の軸受部４３を鍔付キャップ４１に係合し、鍔付キャップ４１の軸方向の弾性力により鍔部４１ｂを軸受部４３の側部に当接させ、軸受部４３を弾性狭持して、軸受部４３に係合したキヤップ部４１ａを軸に可動板４２を排気口１１に開閉自在に設ける。
【００３８】
上記構成により、可動板４２の開放時には上端部および、下端部に形成された円弧状部分により排気口１１にダクト（図示せず）を接続した場合においても、可動板４２がダクト内面に当接することがなくなると共に、可動板４２は鍔付キャップ４１により軸受部４３が狭持されて開閉自在に保持されるので、可動板４２の開閉時に発生する騒音を低減できる。
【００３９】
（実施例６）
図６に示すように、本体開口面と逆方向となる方向に本体フレーム１より突出した４本のインサートボルト５０を設け、本体フレーム１の下部外方に突出し設けられるフランジ部５１の四隅に第２の吊ボルト５２の外径より大きな径の吊ボルト用孔５３を設け、吊ボルト用孔５３には取り外し可能なキャップ５４が嵌合される。一方、インサートボルト５０の外径より大きい径のインサートボルト固定用孔５５と第１の吊ボルト５６の外径より大きい径となる吊ボルト用長孔５７を同一平面上に備えた吊金具５８は、インサートボルト固定用孔５５にインサートボルト５０を通し固定し、吊ボルト用長孔５７に第１の吊ボルト５６を通して固定することができ、このとき第１の吊ボルト５６は吊ボルト用長孔５７の長孔分だけ移動することができるので本体フレーム１を第１の吊ボルト５６に固定した後でも容易に位置を変えることができる。また本体フレーム１のフランジ部５１の四隅に設けられた吊ボルト用孔５３に第２の吊ボルト５２を通して固定し、第２の吊ボルト５２反対端部は吊金具５８のインサートボルト固定用孔５５に通して固定し、吊金具５８の吊ボルト用長孔５７を使って天井面に固定することにより本体フレーム１の位置調整の可能な据え付けを行うことができる。上記のインサートボルト５０を使用して本体フレーム１を固定する方法では、固定した後に本体フレーム１を天井面方向に移動することができ、本体フレーム１を移動した後ユニットバスを据え付け、ユニットバス据え付け後に再び正規の設置場所に本体フレーム１を下ろしユニットバス天井上面５９にフランジ部５１を位置させる本体先付方式の施工に用いることができる。一方、本体フランジの四隅の吊ボルト用孔５３を使用して本体を固定する方法は、ユニットバスが既に設置された状態の時に、天井面より第２の吊ボルト５２を下げ、第２の吊ボルト５２を吊ボルト用孔５３に通してユニットバス天井下面６０にフランジ部５１を位置させる本体後付方式に用いることができる。
【００４０】
上記構成により本体フレーム１の据え付けの際には、本体先付方式でも本体後付方式でも対応可能となる。
【００４１】
なお、本体先付方式・本体後付方式はユニットバスの設置を例としてあげたが、本体フレーム１を先に天井に仮設置した後に浴室天井を作る方式・浴室天井に後から本体フレーム１を設置する方式のどちらにも対応可能なことはいうまでもない。
【００４２】
（実施例７）
図７に示すように、本体開口面に接触する側に設けられる化粧パネル６６の四隅に同方向に切り欠き部６１を有する円筒状のねじ受け部６２を設け、円筒状のねじ受け部６２の中心孔６３は化粧パネル６６を貫通し、本体開口面と反対となる面（以下、化粧パネル表面と称す）まで貫通している。前記中心孔６３の化粧パネル表面側の切り欠き部６１と反対側にあたる縁には、半円状のリブ部６４を備えている。そして、本体フレーム１の本体開口面側の四隅には化粧パネルの取付用ねじ孔６５を備え、この化粧パネルの取付用ねじ孔部６５に４本のねじを途中まで締め込み、前記４本のねじの頭部側を化粧パネル６６の四隅に設けられた切り欠き部６１よりねじ受け部６２の中心孔６３に導いた後、化粧パネル６６を切り欠き部６１側にスライドさせることによりねじ頭部を半円状のリブ部６４に位置させる。前記半円状のリブ部６４の内径は前記ねじ頭部より小さいため、製品本体を設置した状態、すなわち本体開口部を下向きにした状態にしても前記化粧パネル６６が落ちることのない構造となる。
【００４３】
製品本体に取り付けるねじの長さは変えることができるため、どのような製品本体と化粧パネル６６の間隔にでも対応できることとなる。
【００４４】
【発明の効果】
以上の実施例から明らかなように本発明によれば各隔壁および本体フレームを樹脂一体成形としたものであるため風路構成要素が少なくなり、本体組立工程における風路構成のばらつき削減による能力・騒音等の性能確保、および部品数の削減より本体組立の容易化と共に、本体の重量削減による据え付け時の施工時間の短縮、樹脂化によるコストの低減という有利な効果が得られる浴室用衣類乾燥機を提供できる。
【００４５】
また、樹脂成形品へのファンモーター取付強度の確保、およびモーター取り外し作業の容易化という有利な効果が得られる。
【００４６】
また、吸込口を二方向に設けることにより多室の換気を行うことができ、各々の吸込口からの吸込風量の比率の調節を行うことができると共に、外部取り入れ用のダクトが本体フレーム側板についているため、天井面方向に大きくならないダクト施工ができる効果が得られる。
【００４７】
また、ファンモーターのコードをファンに当てないように設けられたコード押さえ具の取り付け・取り外し作業の容易化、およびコード押さえ具がケーシングの一部をなしているため本体の小型化を図ることができる効果が得られる。
【００４８】
また、可動板の可動により発生する音の低減を図ることができ、ダクト引き回しによる可動部不動作の削減ができる効果が得られる。
【００４９】
また、本体先付け・本体後付け等の設置条件への対応、および本体据え付け作業時間の短縮を図ることができる効果が得られる。
【００５０】
また、落下防止を施した化粧パネルで、製品本体と化粧パネルの間隔に左右されずに取り付けることができる効果が得られる。
【図面の簡単な説明】
【図１】（ａ）本発明の実施例１における浴室用衣類乾燥機の本体フレームの斜視図
（ｂ）同実施例１における浴室用衣類乾燥機の内部構成を示す正面図
【図２】（ａ）同実施例２における浴室用衣類乾燥機の内部構成を示す背面図
（ｂ）同実施例２おける浴室衣類乾燥機のファンモーターの取付状態を示す側面図
【図３】同実施例３における浴室用衣類乾燥機のダクトを取付けた状態を示す正面図
【図４】（ａ）同実施例４における浴室用衣類乾燥機の内部構成を示す正面図
（ｂ）同実施例４における浴室用衣類乾燥機のコードの収納部分の構成を示す分解斜視図
【図５】（ａ）同実施例５における浴室用衣類乾燥機の排気口側を示す側面図
（ｂ）同実施例５における浴室用衣類乾燥機の排気口と可動板の関係を示す斜視図
【図６】（ａ）同実施例６における浴室用衣類乾燥機の反本体開口面側を示す背面図
（ｂ）同実施例６における浴室用衣類乾燥機の本体先付時の構成を示す側面図（ｃ）同実施例６における浴室用衣類乾燥機の本体後付時の構成を示す側面図
（ｄ）同実施例６における浴室用衣類乾燥機の吊金具の構成を示す斜視図
【図７】（ａ）同実施例７における浴室用衣類乾燥機の化粧パネルの構成を示す部分正面図
（ｂ）同実施例７における浴室用衣類乾燥機の化粧パネルの構成を示す部分側面図
（ｃ）同実施例７における浴室用衣類乾燥機の化粧パネルの取付用ねじ孔を示す正面図
【図８】従来の浴室用衣類乾燥機の内部構成を示す一部破断した正面図
【図９】同多室用の浴室衣類乾燥機の排気ダクト部分を断面した側面図
【図１０】同浴室用衣類乾燥機の化粧パネルの取付構成を示す斜視図
【符号の説明】
１      本体フレーム
２      循環ファン
３      循環ファンモーター
４      熱交換器
５      換気ファン
６      換気ファンモーター
７      電装部
８      循環側のケーシング隔壁
９      第１の電装部隔壁
１０    換気側のケーシング隔壁
１１    排気口
１２    第２の電装部隔壁
１３    ファンモーター取付孔
１４    リング形溝部
１５    取付リング引掛部
１６    廻り止め
１７    取付リング
２１    ダクト
２２    換気ファン吸込口
２３    遮蔽板
３０    垂直溝部
３１    水平溝部
３２    コード押さえ止め部
３３    左右部分
３８    コード押さえ具
４０    支持軸
４１    鍔付キャップ
４１ａ  キャップ部
４１ｂ  鍔部
４２    可動板
４３    軸受部
５０    インサートボルト
５１    フランジ部
５２    第２の吊ボルト
５３    吊ボルト用孔
５４    キャップ
５５    インサートボルト固定用孔
５６    第１の吊ボルト
５７    吊ボルト用長孔
５８    吊金具
６０    ユニットバス天井下面
６１    切り欠き部
６２    ねじ受け部
６４    リブ部
６５    化粧パネルの取付用ねじ孔
６６    化粧パネル
【図１】
0003775865.tif 000002
【図２】
0003775865.tif 000003
【図３】
0003775865.tif 000004
【図４】
0003775865.tif 000005
【図５】
0003775865.tif 000006
【図６】
0003775865.tif 000007
【図７】
0003775865.tif 000008
【図８】
0003775865.tif 000009
【図９】
0003775865.tif 000010
【図１０】
0003775865.tif 000011